(57)【要約】【課題】洗浄時間を大幅に短縮した洗車機を提供する。【解決手段】被洗浄車両５０に対して洗車機本体１０を相対移動させながら、洗浄手段および乾燥手段により被洗浄車両に対して洗車を行う洗車機である。洗車機本体は、主本体１１と副本体２１，３１とからなり、それぞれ別個に走行可能とした。主本体に、側面洗浄用ブラシ１４と上面洗浄用ブラシ１５と下部側面洗浄用ブラシ１６を配設した。副本体には、車幅方向Ｗに移動自在な前後面洗浄用ブラシ２４，３４を配設した。上面洗浄用ブラシによる上面の洗浄と、側面洗浄用ブラシによる両側面の洗浄と、下部側面洗浄用ブラシによる下部両側面の洗浄とを行える。この洗浄中に、副本体を走行して被洗浄車両の前端や後端に対応した所定の箇所に停止させたのち、前後面洗浄用ブラシを車幅方向に移動させることで、被洗浄車両の前面や後面の洗浄を、その一方または両方を同時状として行うことができ、被洗浄車両の洗浄時間を大幅に短縮できる。【選択図】図１
2009073299.tif 000002
【特許請求の範囲】
【請求項１】
被洗浄車両に対して洗車機本体を相対移動させながら、洗浄手段および乾燥手段により被洗浄車両に対して洗車を行う洗車機であって、洗車機本体は、主本体と副本体とからなるとともに、それぞれ別個に走行可能とし、主本体には、側面洗浄用ブラシと上面洗浄用ブラシと下部側面洗浄用ブラシとが配設され、副本体には、車幅方向に移動自在な前後面洗浄用ブラシが配設されていることを特徴とする洗車機。
【請求項２】
副本体は、主本体の前後に振り分けて位置される前部副本体と後部副本体とからなり、前部副本体に前面洗浄用フロントブラシが配設され、後部副本体に後面洗浄用リヤブラシが配設されていることを特徴とする請求項１記載の洗車機。
【請求項３】
前後面洗浄用ブラシが車幅方向に一対で配設されていることを特徴とする請求項１または２記載の洗車機。
【請求項４】
前後面洗浄用ブラシの上端レベルを、側面洗浄用ブラシの上端レベルよりも低くして形成されていることを特徴とする請求項１〜３のいずれか１項に記載の洗車機。
【発明の詳細な説明】
【技術分野】
【０００１】
本発明は、たとえば給油所に設置され、洗車に使用される洗車機に関するものである。
【背景技術】
【０００２】
従来、この種の洗車機で、車両をブラッシングする洗浄手段としては、車両の上面を洗浄するトップブラシ装置と、車両の前後面および両側面を洗浄する一対のサイドブラシ装置と、車両の両側面下部およびタイヤを洗浄する左右一対のロッカーブラシ装置とが設けられている。その際にトップブラシ装置は、上下方向に移動自在なトップブラシを有し、両サイドブラシ装置は、洗車機本体の走行方向（前後方向）と直角な左右方向に横行自在なサイドブラシを有し、両ロッカーブラシ装置は、互いに接近離間自在なロッカーブラシを有している。
【０００３】
このような従来の構成によると、両サイドブラシ装置においては、回転により拡がったサイドブラシにより車両の前後面および両側面を洗浄している。すなわち図７（Ｃ）に示すように、まずサイドブラシを左右方向に横行させて車両の前面を洗浄し（Ｔａ）、次いでサイドブラシを洗車機本体とともに移動させて車両の両側面を洗浄し（Ｔｂ）、その後にサイドブラシを左右方向に横行させて車両の後面を洗浄して（Ｔｃ）いる。そして、サイドブラシによる車両の両側面の洗浄（Ｔｂ）時に合わせて、トップブラシにより車両の上面を洗浄するとともに、ロッカーブラシにより車両の両側面下部およびタイヤを洗浄している（たとえば、特許文献１参照。）。
【特許文献１】特開２００６−６９４０２号公報（第４頁、第１，２図）
【発明の開示】
【発明が解決しようとする課題】
【０００４】
しかし上記した従来の構成によると、洗車機本体を停止して、サイドブラシにより車両の前面や後面を洗浄するのにそれぞれ時間（Ｔａ，Ｔｃ）がかかり、両時間（Ｔａ＋Ｔｃ）が洗浄時間（Ｔ）の大半を占めることで、全体の洗浄時間が長いことになる。
【０００５】
そこで本発明の請求項１記載の発明は、洗浄時間を大幅に短縮し得る洗車機を提供することを目的としたものである。
【課題を解決するための手段】
【０００６】
前述した目的を達成するために、本発明の請求項１記載の洗車機は、被洗浄車両に対して洗車機本体を相対移動させながら、洗浄手段および乾燥手段により被洗浄車両に対して洗車を行う洗車機であって、洗車機本体は、主本体と副本体とからなるとともに、それぞれ別個に走行可能とし、主本体には、側面洗浄用ブラシと上面洗浄用ブラシと下部側面洗浄用ブラシとが配設され、副本体には、車幅方向に移動自在な前後面洗浄用ブラシが配設されていることを特徴としたものである。
【０００７】
したがって請求項１の発明によると、主本体を走行させながら、上面洗浄用ブラシによる被洗浄車両の上面の洗浄と、側面洗浄用ブラシによる両側面の洗浄と、下部側面洗浄用ブラシによる下部両側面の洗浄とを行える。そして、このような洗浄中に、副本体を走行して被洗浄車両の前端や後端に対応した所定の箇所に停止させたのち、前後面洗浄用ブラシを車幅方向に移動させることで、被洗浄車両の前面や後面の洗浄の一方または両方を、両側面の洗浄などに同時状として行える。
【０００８】
また本発明の請求項２記載の洗車機は、上記した請求項１記載の構成において、副本体は、主本体の前後に振り分けて位置される前部副本体と後部副本体とからなり、前部副本体に前面洗浄用フロントブラシが配設され、後部副本体に後面洗浄用リヤブラシが配設されていることを特徴としたものである。
【０００９】
したがって請求項２の発明によると、主本体を走行させながらの洗浄中に、前部副本体を走行して被洗浄車両の前端に対応した所定の箇所に停止させたのち、前面洗浄用フロントブラシを車幅方向に移動させることによる前面の洗浄と、後部副本体を走行して被洗浄車両の後端に対応した所定の箇所に停止させたのち、後面洗浄用リヤブラシを車幅方向に移動させることによる後面の洗浄との一方または両方を、両側面の洗浄などに同時状として行える。
【００１０】
そして本発明の請求項３記載の洗車機は、上記した請求項１または２記載の構成において、前後面洗浄用ブラシが車幅方向に一対で配設されていることを特徴としたものである。
【００１１】
したがって請求項３の発明によると、回転により拡がった前後面洗浄用ブラシを車幅方向で互いに接近離間移動させて、被洗浄車両の前面や後面の洗浄を行える。
さらに本発明の請求項４記載の洗車機は、上記した請求項１〜３のいずれか１項に記載の構成において、前後面洗浄用ブラシの上端レベルを、側面洗浄用ブラシの上端レベルよりも低くして形成されていることを特徴としたものである。
【００１２】
したがって請求項４の発明によると、被洗浄車両の側面よりも低い前面や後面の洗浄に使用される前後面洗浄用ブラシを小型化し得る。
【発明の効果】
【００１３】
上記した本発明の請求項１によると、主本体を走行させながら、上面洗浄用ブラシによる被洗浄車両の上面の洗浄と、側面洗浄用ブラシによる両側面の洗浄と、下部側面洗浄用ブラシによる下部両側面の洗浄とを行うことができる。そして、このような洗浄中に、副本体を走行して被洗浄車両の前端や後端に対応した所定の箇所に停止させたのち、前後面洗浄用ブラシを車幅方向に移動させることで、被洗浄車両の前面や後面の洗浄の一方または両方を、両側面の洗浄などに同時状として行うことができ、以て被洗浄車両の洗浄時間を大幅に短縮できる。
【００１４】
また上記した本発明の請求項２によると、主本体を走行させながらの洗浄中に、前部副本体を走行して被洗浄車両の前端に対応した所定の箇所に停止させたのち、前面洗浄用フロントブラシを車幅方向に移動させることによる前面の洗浄と、後部副本体を走行して被洗浄車両の後端に対応した所定の箇所に停止させたのち、後面洗浄用リヤブラシを車幅方向に移動させることによる後面の洗浄との一方または両方を、両側面の洗浄などに同時状として行うことができ、以て被洗浄車両の洗浄時間を大幅に短縮できる。
【００１５】
そして上記した本発明の請求項３によると、回転により拡がった前後面洗浄用ブラシを車幅方向で互いに接近離間移動させることで、被洗浄車両の前面や後面の洗浄を行うことができる。
【００１６】
さらに上記した本発明の請求項４によると、被洗浄車両の側面よりも低い前面や後面の洗浄に使用される前後面洗浄用ブラシを小型化でき、以て全体を構造簡単、安価に提供できる。
【発明を実施するための最良の形態】
【００１７】
［実施の形態１］
以下に、本発明の実施の形態１を、図１〜図４、図７（Ａ）に基づいて説明する。
図１〜図３において、洗車機１における洗車機本体１０は、主本体１１と、この主本体１１を中にして前後方向Ｘに振り分けて位置される前部副本体（副本体の一例）２１、ならびに後部副本体（副本体の一例）３１とからなる。これら主本体１１と前部副本体２１と後部副本体３１とは門形であって、それぞれ複数個の輪体１２，２２，３２を介して、床５側の床面５ａ上に敷設された左右一対（左右複数）の洗車機用レール装置６上に載置されており、走行駆動装置（図示せず。）の作動により、それぞれ別個（各別）に前後方向Ｘの一定経路上で往復移動（往復走行）するように構成されている。そして主本体１１には、洗浄手段、ブラッシング手段、乾燥手段などが組み込まれ、また前部副本体２１や後部副本体３１には、洗浄手段、ブラッシング手段などが組み込まれている。
【００１８】
すなわち主本体１１には、被洗浄車両（普通乗用車など）５０の洗浄手段の一例として、第１洗浄水ノズルと第１洗剤ノズルと第２洗浄水ノズルと撥水コート剤ノズルと第２洗剤ノズルとワックスノズルとが（いずれも図示せず。）、後部副本体３１側から見て、この順で配設されている。ここで各ノズルは、たとえばアーチ状に構成されている。また主本体１１には、被洗浄車両５０のブラッシング手段の一例として、側面洗浄用ブラシ１４と上面洗浄用ブラシ１５と下部側面洗浄用ブラシ１６とが配設されている。さらに主本体１１には、被洗浄車両５０の乾燥手段の一例として、昇降自在なトップノズル１８、左右一対のサイドノズル１９、ならびにトップノズル１８にダクトホースを介して接続された左右一対のトップ側ブロワ装置（図示せず。）、サイドノズル１９にダクトホースを介して接続された左右一対のサイド側ブロワ装置（図示せず。）などが設けられる。
【００１９】
ここで、側面洗浄用ブラシ１４と下部側面洗浄用ブラシ１６とは車幅方向Ｗに一対（左右一対）であって、それぞれ被洗浄車両５０の側面に対してのみ当接し得るように、たとえばシリンダー形式の作動装置（図示せず。）によって、図３の仮想線で示すように、短いストロークで互いに接近離間自在に構成されている。そしてトップノズル１８は、被洗浄車両５０の上面に対して接近離間し得るように、作動装置（図示せず。）によって昇降自在に構成されている。
【００２０】
また前部副本体２１には、車幅方向Ｗに移動自在な前面洗浄用フロントブラシ（前後面洗浄用ブラシの一例）２４が配設され、そして後部副本体３１には、車幅方向Ｗに移動自在な後面洗浄用リヤブラシ（前後面洗浄用ブラシの一例）３４が配設されている。ここで前面洗浄用フロントブラシ２４と後面洗浄用リヤブラシ３４とは車幅方向Ｗに一対（左右一対）であって、それぞれ被洗浄車両５０の前面や後面の全域に亘って当接し得るように、作動装置（図示せず。）によって、図２の仮想線で示すように、車幅方向Ｗの中心部に達する長いストロークで互いに接近離間自在に構成されている。
【００２１】
なお、床（地上）５側または洗車機本体１０側の適所には、起動、停止指令や洗車モードなどを入力する操作スイッチなどが配列された操作ボックス（操作パネル）と、この操作ボックスに接続された制御手段とが設けられている。
【００２２】
以下に、上記した実施の形態１における洗車作業を説明する。すなわち洗車を行うに際して、まず被洗浄車両５０を停車させた状態で運転者または作業者が操作ボックスを操作し、以て希望する一つの洗車コース（洗浄条件）を設定する。この状態で洗車スタートスイッチをオン操作することで、洗車機本体１０の主本体１１と前部副本体２１と後部副本体３１とを各別に往復走行させながら、回転により拡がった各ブラシ１４，１５，１６，２４，３４の当接離間動、洗浄水ノズルを介しての水（洗浄水）の供給、洗剤ノズルを介しての希釈した洗剤の供給、撥水コート剤ノズルを介しての希釈した撥水コート剤の供給、ワックスノズルを介しての希釈したワックスの供給、ならびに各ノズル１８，１９からの風の噴出（吹き付け）、などを適宜に組合せて作動させ、以て被洗浄車両５０に対する所期の洗浄工程と乾燥工程とを行えることになる。
【００２３】
このような洗車作業を行うに際して、図４（ａ）に示すように、主本体１１と後部副本体３１とは所定のスペースＳを置いて離れた（離間した）状態にあり、そして、これら主本体１１と後部副本体３１との間に被洗浄車両５０を停車させる。ここで所定のスペースＳは、検出した車種（車長）などに応じて後部副本体３１を走行させることで、任意に調整される。この状態で、まず主本体１１を後部副本体３１に向かって走行させながら、回転により拡がった上面洗浄用ブラシ１５によって被洗浄車両５０の上面の洗浄を行う。これと同時状に後部副本体３１を主本体１１に向かって走行させ、図４（ｂ）や図７（Ａ−ｂ）に示すように、被洗浄車両５０の後端に対応した所定の箇所に停止させるとともに、回転により拡がった後面洗浄用リヤブラシ３４を車幅方向Ｗで互いに接近離間移動させて、被洗浄車両５０の後面の洗浄を行う。
【００２４】
このように、後面洗浄用リヤブラシ３４によって被洗浄車両５０の後面の洗浄を行っている間に、主本体１１側では図１に示すように、上面洗浄用ブラシ１５による被洗浄車両５０の上面の洗浄を行いながら、回転により拡がった側面洗浄用ブラシ１４によって被洗浄車両５０の両側面の洗浄を行うとともに、回転により拡がった下部側面洗浄用ブラシ１６によって下部両側面や車輪５１などの洗浄を行う。さらに前部副本体２１を、主本体１１とともに後部副本体３１に向かって走行させ、図４（ｃ）や図７（Ａ−ｃ）に示すように、被洗浄車両５０の前端に対応した所定の箇所に停止させるとともに、回転により拡がった前面洗浄用フロントブラシ２４を車幅方向Ｗで互いに接近離間移動させて、被洗浄車両５０の前面の洗浄を行う。
【００２５】
そして、側面洗浄用ブラシ１４、上面洗浄用ブラシ１５、下部側面洗浄用ブラシ１６、前面洗浄用フロントブラシ２４による洗浄中に、後面洗浄用リヤブラシ３４による後面の洗浄工程を終了し、図４（ｄ）や図７（Ａ−ｄ）に示すように、後面洗浄用リヤブラシ３４の回転を停止させた後部副本体３１を被洗浄車両５０から離間する方向に走行させる。さらに、引き続いての側面洗浄用ブラシ１４、上面洗浄用ブラシ１５、下部側面洗浄用ブラシ１６、前面洗浄用フロントブラシ２４による洗浄中に、図４（ｅ）や図７（Ａ−ｅ）に示すように、被洗浄車両５０から離間する方向に走行させていた後部副本体３１を、被洗浄車両５０の後端から十分に離間した所定の箇所に停止させ、また、前面洗浄用フロントブラシ２４による前面の洗浄工程を終了し、前面洗浄用フロントブラシ２４の回転を停止させた前部副本体２１を、被洗浄車両５０から離間する方向に走行させる。
【００２６】
そして前部副本体２１を、図４（ｆ）や図７（Ａ−ｆ）に示すように、被洗浄車両５０の前端から離間した所定の箇所に停止させる。この前後に主本体１１側においては、上面洗浄用ブラシ１５による上面の洗浄工程を終了して、回転を停止させた上面洗浄用ブラシ１５を被洗浄車両５０から上方へ離間させ、そして側面洗浄用ブラシ１４や下部側面洗浄用ブラシ１６による側面の洗浄工程を終了して、回転を停止させた側面洗浄用ブラシ１４や下部側面洗浄用ブラシ１６を被洗浄車両５０から側外方へ離間させた状態で、この主本体１１を被洗浄車両５０の後端と後部副本体３１との間に停止させる。
【００２７】
以上により、被洗浄車両５０に対する所期の洗浄工程を終えることになる。その際に、主本体１１を走行しての側面洗浄用ブラシ１４、上面洗浄用ブラシ１５、下部側面洗浄用ブラシ１６による側面や上面の洗浄中に、後部副本体３１を走行して後面洗浄用リヤブラシ３４により後面の洗浄を行うことと、前部副本体２１を走行して前面洗浄用フロントブラシ２４により前面の洗浄を行うこととの一方または両方を、両側面の洗浄などに同時状として行うことができ、以て被洗浄車両５０の洗浄時間ｔａを大幅に短縮（ｔａ＜Ｔ）できる。
【００２８】
次いで図４（ｇ）の実線に示すように、主本体１１を前部副本体２１に向かって走行させながら、各ノズル１８，１９からの風を噴出（吹き付け）させて、被洗浄車両５０に対して乾燥を行い、そして図４（ｇ）の仮想線に示すように、主本体１１を被洗浄車両５０の前端と前部副本体２１との間に停止させる。これにより、被洗浄車両５０に対する所期の乾燥工程を行えることになる。その後に、被洗浄車両５０を走行させることで、図４（ｈ）に示すように、この被洗浄車両５０を主本体１１内から前部副本体２１内へと通過させて退出し得、以て所期の洗車作業を終える。なお、被洗浄車両５０を走行させる前後において、検出した次の車種（車長）に応じて、後部副本体３１を走行させることで、所定のスペースＳを任意に調整している。
［実施の形態２］
次に、本発明の実施の形態２を、図５〜図７（Ｂ）に基づいて説明する。
【００２９】
図５において、洗車機１における洗車機本体１０は、主本体１１と、この主本体１１に対して前後方向Ｘの入車側に位置される副本体４１とからなる。これら主本体１１と副本体４１とは門形であって、それぞれ複数個の輪体１２，４２を介して洗車機用レール装置６上に載置されており、それぞれ別個（各別）に前後方向Ｘの一定経路上で往復移動（往復走行）するように構成されている。そして主本体１１には、洗浄手段、ブラッシング手段、乾燥手段などが組み込まれ、また副本体４１には、洗浄手段、ブラッシング手段などが組み込まれている。すなわち主本体１１は、上述した実施の形態１と同様に構成されている。また副本体４１には、車幅方向Ｗに移動自在な前後面洗浄用ブラシ４４が配設されて、上述した実施の形態１と同様に構成されている。
【００３０】
以下に、上記した実施の形態２における洗車作業を説明する。すなわち洗車作業を行うに際して、図６（ａ）に示すように、主本体１１に対して副本体４１が近づいた（接近した）状態にあり、そして、副本体４１の前に被洗浄車両５０を停車させる。この状態で、まず副本体４１を被洗浄車両５０に向かって走行させ、図６（ｂ）や図７（Ｂ−ｂ）に示すように、被洗浄車両５０の前端に対応した所定の箇所に停止させるとともに、回転により拡がった前後面洗浄用ブラシ４４を車幅方向Ｗで互いに接近離間移動させて、被洗浄車両５０の前面の洗浄を行う。
【００３１】
次いで、前後面洗浄用ブラシ４４による前面の洗浄工程を終了し、前後面洗浄用ブラシ４４の回転を停止させた副本体４１を、主本体１１から離間する方向に走行させて、被洗浄車両５０を外嵌通過させ、図６（ｃ）や図７（Ｂ−ｃ）に示すように、被洗浄車両５０の後端から離間した所定の箇所に停止させる。この前後に主本体１１を、被洗浄車両５０に接近する方向に走行させる。そして、主本体１１を副本体４１に向かって走行させながら、回転により拡がった上面洗浄用ブラシ１５によって被洗浄車両５０の上面の洗浄を行う。これと同時状に副本体４１を主本体１１に向かって走行させ、図６（ｄ）や図７（Ｂ−ｄ）に示すように、被洗浄車両５０の後端に対応した所定の箇所に停止させるとともに、回転により拡がった前後面洗浄用ブラシ４４を車幅方向Ｗで互いに接近離間移動させて、被洗浄車両５０の後面の洗浄を行う。
【００３２】
このように、前後面洗浄用ブラシ４４によって被洗浄車両５０の後面の洗浄を行っている間に、主本体１１側では、図５、図６（ｅ）や図７（Ｂ−ｅ）に示すように、上面洗浄用ブラシ１５による被洗浄車両５０の上面の洗浄を行いながら、回転により拡がった側面洗浄用ブラシ１４によって被洗浄車両５０の両側面の洗浄を行うとともに、回転により拡がった下部側面洗浄用ブラシ１６によって車輪５１などの外側面の洗浄を行う。
【００３３】
そして、側面洗浄用ブラシ１４、上面洗浄用ブラシ１５、下部側面洗浄用ブラシ１６、前面洗浄用フロントブラシ２４による洗浄中に、前後面洗浄用ブラシ４４による後面の洗浄工程を終了し、図６（ｆ）や図７（Ｂ−ｆ）に示すように、前後面洗浄用ブラシ４４の回転を停止させた副本体４１を被洗浄車両５０から離間する方向に走行させる。さらに図６（ｇ）の実線や図７（Ｂ−ｇ）に示すように、引き続いての側面洗浄用ブラシ１４、上面洗浄用ブラシ１５、下部側面洗浄用ブラシ１６、前面洗浄用フロントブラシ２４による洗浄中に、被洗浄車両５０から離間する方向に走行させていた副本体４１を、被洗浄車両５０の後端から十分に離間した所定の箇所に停止させる。
【００３４】
この前後に主本体１１側においては、上面洗浄用ブラシ１５による上面の洗浄工程を終了して、回転を停止させた上面洗浄用ブラシ１５を被洗浄車両５０から上方へ離間させ、そして側面洗浄用ブラシ１４や下部側面洗浄用ブラシ１６による側面の洗浄工程を終了して、回転を停止させた側面洗浄用ブラシ１４や下部側面洗浄用ブラシ１６を被洗浄車両５０から側外方へ離間させた状態で、図６（ｇ）の仮想線に示すように、この主本体１１を被洗浄車両５０の後端と副本体４１との間に停止させる。
【００３５】
以上により、被洗浄車両５０に対する所期の洗浄工程を終えることになる。その際に、主本体１１を走行しての側面洗浄用ブラシ１４、上面洗浄用ブラシ１５、下部側面洗浄用ブラシ１６による側面や上面の洗浄中に、副本体４１を走行して前後面洗浄用ブラシ４４により後面の洗浄を行うことを同時状に行うことができ、以て被洗浄車両５０の洗浄時間ｔｂを大幅に短縮（ｔｂ＜Ｔ）できる。
【００３６】
次いで図６（ｈ）の実線に示すように、主本体１１を副本体４１から離れる方向に走行させながら、各ノズル１８，１９からの風を噴出（吹き付け）させて、被洗浄車両５０に対して乾燥を行い、そして図６（ｈ）の仮想線に示すように、主本体１１を被洗浄車両５０の前端の前方に停止させる。これにより、被洗浄車両５０に対する所期の乾燥工程を行えることになる。その後に、被洗浄車両５０を走行させることで、この被洗浄車両５０を主本体１１内を通過させて退出し得、以て所期の洗車作業を終える。なお、被洗浄車両５０を走行させた後において、副本体４１を走行させることで、図６（ａ）に示すように、主本体１１に接近して停止し得る。
［実施の形態３］
次に、本発明の実施の形態３を、図８に基づいて説明する。
【００３７】
上述した実施の形態１の変形例であって、前面洗浄用フロントブラシ２４や後面洗浄用リヤブラシ３４は、その上端レベル２４ａ，３４ａを、側面洗浄用ブラシ１４の上端レベル１４ａよりも低くして形成されている。これによると、被洗浄車両５０の側面よりも低い前面や後面の洗浄に使用される前面洗浄用フロントブラシ２４や後面洗浄用リヤブラシ３４を小型化でき、以て全体を構造簡単、安価に提供できる。なお、実施の形態２の前後面洗浄用ブラシ４４も同様に形成し得る。
【００３８】
上記した実施の形態１〜３では、洗浄手段と乾燥手段を備えた主本体１１の形式が示されているが、これは主本体を、洗浄手段を備えた前部主本体と乾燥手段を備えた後部主本体とに分離し、これら前部主本体と後部主本体とを各別に移動可能とした形式などであってもよい。
【００３９】
上記した実施の形態１〜３では、車幅方向Ｗに一対（左右一対）の前面洗浄用フロントブラシ２４、後面洗浄用リヤブラシ３４、前後面洗浄用ブラシ４４を、車幅方向Ｗの中心部に達する長いストロークで互いに接近離間自在に構成した形式を示しているが、これは前面洗浄用フロントブラシ２４、後面洗浄用リヤブラシ３４、前後面洗浄用ブラシ４４を１個として、車幅方向Ｗで横切り移動させることによって、被洗浄車両５０の前面や後面を洗浄する形式などであってもよい。
【００４０】
上記した実施の形態１〜３では、前部副本体２１と後部副本体３１と副本体４１とを門形とした形式を示しているが、これは逆Ｌ字形とし、好適なガイド手段により安定して支持案内される形式などであってもよく、この場合、一側方を開放できる。
【図面の簡単な説明】
【００４１】
【図１】本発明の実施の形態１を示し、洗車機の側面図である。
【図２】同洗車機における前部副本体の正面図である。
【図３】同洗車機における主本体の正面図である。
【図４】同洗車機における主本体と副本体との動作を説明する概略側面図である。
【図５】本発明の実施の形態２を示し、洗車機の側面図である。
【図６】同洗車機における主本体と副本体との動作を説明する概略側面図である。
【図７】本発明の実施の形態１（Ａ）と実施の形態２（Ｂ）と従来例（Ｃ）との洗浄工程における動作比較図である。
【図８】本発明の実施の形態３を示し、洗車機の側面図である。
【符号の説明】
【００４２】
１        洗車機
６        洗車機用レール装置
１０      洗車機本体
１１      主本体
１４      側面洗浄用ブラシ
１４ａ    上端レベル
１５      上面洗浄用ブラシ
１６      下部側面洗浄用ブラシ
１８      トップノズル
１９      サイドノズル
２１      前部副本体（副本体）
２４      前面洗浄用フロントブラシ（前後面洗浄用ブラシ）
２４ａ    上端レベル
３１      後部副本体（副本体）
３４      後面洗浄用リヤブラシ（前後面洗浄用ブラシ）
３４ａ    上端レベル
４１      副本体
４４      前後面洗浄用ブラシ
５０      被洗浄車両
Ｘ        前後方向
Ｗ        車幅方向
Ｓ        スペース
ｔａ      洗浄時間
ｔｂ      洗浄時間
Ｔ        洗浄時間
【図１】
2009073299.tif 000003
【図２】
2009073299.tif 000004
【図３】
2009073299.tif 000005
【図４】
2009073299.tif 000006
【図５】
2009073299.tif 000007
【図６】
2009073299.tif 000008
【図７】
2009073299.tif 000009
【図８】
2009073299.tif 000010